(57)【要約】【課題】門型でフェース側を軽く左右後部側の重量を重くしてやじろべい効果が得られ、パット時のヘッドに振れが発生しないようにして直進性を向上させ、直進慣性が得られることによって方向性に優れたパッティングが行えるゴルフのパターを提供する。【解決手段】シャフト２の先端に設けたヘッド３が、フェース部４の両側端部に後方へ延びる延長部５、５を設けて平面門型に形成され、前記両延長部５、５の後端部の位置にウエイト６を埋設し、前記フェース部４と延長部５、５の下面に底板８を固定し、前記フェース部４の上面に、このフェース部４の上面にフェース面４ａと平行するよう設けた溝９を利用して、スイートスポットの表示部材１１が取付けられている。【選択図】図４
2007209722.tif 000002
【特許請求の範囲】
【請求項１】
シャフトの先端にヘッドを設けたパターにおいて、前記ヘッドが、フェース部の両側端部に後方へ延びる延長部を設けて平面門型に形成され、前記両延長部の後端部の位置にウエイトを埋設し、前記フェース部と延長部の下面に底板を固定し、前記フェース部の上面に、このフェース部の上面にフェース面と平行するよう設けた溝を利用して、スイートスポットの表示部材を位置調整して取付けたことを特徴とするゴルフのパター。
【請求項２】
上記ヘッドが硬質木材を用いて形成され、上記底板における延長部の下面に位置する部分に、延長部の後端側を覆う靴型ケース部が設けられていることを特徴とする請求項１に記載のゴルフのパター。
【発明の詳細な説明】
【技術分野】
【０００１】  この発明は、フェース側と中心部を軽く、本体左右のヒール側とトウ側の後部側の重量を重くすることで、フェースに対して完全なやじろべい形態となして、スイートスポットの深度を最大に深くし、パット時のヘッドフェースのビビリをなくし、かつ、ヘッドの直進性を向上させ、方向性に優れたパッティングが行えるゴルフのパターに関する。
【背景技術】
【０００２】  従来、パターのヘッドは、パット時のボールの直進性や距離感の向上を図るため、人の感覚と技術に応じたヘッドのデザインや使用する材質の選択されている。【０００３】  ところで、従来のヘッドは、フェース部の長さ方向に沿って略均一な重量配分にしたものや、近来、フェースの中央後部や両端部にウエイトを配分した構造のパターが見られるようになっている。
【発明の開示】
【発明が解決しようとする課題】
【０００４】  これらのパターは、ショット方向に対する運動の方向性は良くなったが、プレーヤが目標ラインにフェースが対角線をもったショットを心がけても、フェーススイートスポットの深度が浅く、また、中央部及び両端後部にウエイトがあっても、完全なやじろべい効果が得られず、ショットした時の微妙なビビリがフェース面にあらわれ、ボールをホールに入れるのは容易ではない。【０００５】  また、ステンやアルミ等の金属製のヘッドは、パット時のボールに対する瞬間反発力が大きく、少しの角度のずれやボール周辺のリンプルの当り具合により、ボールの転がり方向が異なり、その対策としてボールの当り部分にゴムや合成樹脂の薄いプレートを貼り付けることが行われているが、プレートは薄いために真の方向保持になりにくいという問題がある。【０００６】  そこで、この発明の課題は、ボールの当りをヘッド本体の木部全体の応力として緩やかに受けて反発する。そのため、ヘッド本体を木質とし、フェースの中間部は薄くヒールとトウ側が後方に延びる門型をなし、かつ、門型後部に比重の高い金属ウエイトを設けたやじろべい構造とし、パット時のヘッドにビビリが発生しないようにして直進性を向上させ、直進慣性が得られることによって方向性に優れたパッティングが行えるゴルフのパターを提供することにある。
【課題を解決するための手段】
【０００７】上記のような課題を解決するため、この発明は、シャフトの先端にヘッドを設けたパターにおいて、前記ヘッドが、フェース部の両側端部に後方へ延びる延長部を設けて平面門型に形成され、前記両延長部の後端部の位置にウエイトを埋設し、前記フェース部と延長部の下面に滑りをよくする底板を固定し、最後部を靴型にすることにより、後部ウエイト部から起こる破損を防止する。また、前記フェース部の上面に、このフェース部の上面にフェース面と平行するよう設けた溝を利用して、シャフトの短尺、中尺、長尺やグリップ重量が変わっても、スイートスポットの表示部材を位置調整して取付ける。【０００８】  ここで、ヘッドの形成する硬質木材としてオーク材やチーク材等を用い、フェース面に木材による自然なボールの反発力が得られるようにし、両延長部の後端部の位置に設けたウエイトによるやじろべい効果とによって、ショット方向に対する運動の方向性を保持してヘッドに振れがなく、スイートスポットに当ったボールの直進慣性が得られることになる。【０００９】  方向の正しい振り子打法でボールをスイートスポットに当てると、左右後部のやじろべい効果により、フェースはビビらず、ボールに方向性と優れた直進慣性を与える構造を有する。【００１０】  また、フェース及びヘッド本体は木質であるから、ボールに当たった場合、その衝撃を木部全体に緩やかに伝え、フェースは振り子によるやじろべい効果により方向性を維持し、ボールを思う方向に直行に転がすことができる。
【発明の効果】
【００１１】  この発明によると、ヘッドを、フェース部の両側端部に後方へ延びる延長部を設けて平面門型に形成し、前記両延長部の後端部の位置にウエイトを埋設したので、両延長部の後端部の位置に設けたウエイトによるやじろべい効果によって、ショット方向に対する運動の方向性を保持してヘッドに振れがなく、パット時のヘッドの直進性を向上させ、方向性に優れたパッティングが行える。【００１２】  また、フェース部の上面に、このフェース部の上面にフェース面と平行するよう設けた溝を利用して、スイートスポットの表示部材を位置の選択可能に釘や接着剤で固定したので、ヘッドを木製とした場合、材質の不均一性によるスイートスポットの位置に違いがあっても、総組み立て後に見出したスイートスポットに合わせて表示部材の固定位置を設定することができる。【００１３】  特にパターは、短、中、長尺のシャフトやグリップの変形が要求されてそれぞれの目方が変わり、前記フェース部の上面に、このフェース部の上面にフェース面と平行するよう設けた溝を利用して、スイートスポットの表示部材を位置調整して取付けたので、かかる調整スライド式のスイートスポットの表示部材は有効である。【００１４】  更に、上記ヘッド本体の裏面全面と左右門型後部のウエイト部を靴型の一体底板で固定したので、ヘッド本体が木製であっても、また、後部の底部よりウエイトが挿入されてあっても、一体補強のプレートにより、ヘッド本体は強くなり、ヘッドの強度向上とショット方向に対する運動の滑り性を向上させることができると共に、木部全体に緩やかに衝撃を応力分配し、それによって、フェースの直行方向とボールの直行方向がなじみ、正確なパットが得られる。
【発明を実施するための最良の形態】
【００１５】  以下、この発明の実施の形態を添付図面に基づいて説明する。【００１６】  図示のように、パター１は、シャフト２の先端にヘッド３を設けて構成され、前記ヘッド３が、前後方向に長いフェース部４の両側端部に後方へ延びる延長部５、５を設けて平面門型に形成され、前記両延長部５、５の後端部の位置にウエイト６が埋設されている。【００１７】  上記ヘッド３の形成に用いる材料は、ステンやアルミ等の各種金属や硬質木材を挙げることができるが、例えば、硬質木材としてオーク材やチーク材等を用いるのが好ましく、これらのブロックから平面門型に削り出すことにより、フェース部４の中心部の厚みを少なくし、フェース部４の両側端部から後方へ延長部５、５が直線的に伸び、ヘッド３の中心部は大きな凹みＲ部７とし、中心部を軽量化することにより、両延長部５、５の後端部の位置に設けたウエイト６によるやじろべい効果を一段と発揮することができるようになっている。【００１８】  上記ヘッド３のフェース部４と延長部５、５の下面に金属製の底板８を貼付け固定し、この底板８における延長部５、５の下面に位置する部分に、延長部５、５の後端側を覆う靴型ケース部８ａを設け、硬質木材を用いたヘッド３の木目の方向のいかんにかかわらず、ウエイト６のある延長部５、５の後端部を靴のごとく包むことによって強度の保持を図っている。【００１９】  上記ウエイト６は、延長部５、５の後端側や下面側から設けた孔に埋め込み固定されて取付けられ、比重の重い材質や大きさの設定によって必要とする重量のものを採用すればよい。【００２０】  上記ヘッド３におけるフェース部４の上面に、フェース面４ａと平行する前後方向に長い溝９と、手前側の位置にシャフト２の取付け孔１０が設けられ、前記溝９を利用して、スイートスポットの表示部材１１が、スライドによる位置選択可能に取付けられている。【００２１】  上記表示部材１１は、上面に矢印のようなマーク１１ａを表記した表示板１２の前縁に溝への嵌め込み板１３を直角に設けて形成され、溝９の長さ方向に位置を選んで表示板１２をフェース部４の上面に、木ねじや釘を用いたり接着によって固定するようになっている。【００２２】  上記ヘッド３を形成する木材は、木質に変動があるため、同じ大きさと形状に削り出してもフェース面４ａのスイートスポットの位置に変動が生じることになり、このため、所定長さのシャフト２を取付けた後、総合的に個々のヘッド３におけるスイートスポットの位置を見出し、その後、スイートスポットに合わせて表示部材１１の固定位置を設定するようにすればよく、溝９の長さ方向に沿ってスライドさせて位置を選択することによって対応することができる。【００２３】  この発明のパターは、上記のような構成であり、シャフト２を握り、表示部材１１のマーク１１ａをボールに合わせ、振り子打法等の好みのスイングを行い、スイートスポットでボールをパッティングすればよく、シャフト２の先端に取付けたヘッド３を、フェース部４の両側端部に後方へ延びる延長部５、５を設けて平面門型に形成し、前記両延長部５、５の後端部の位置にウエイト６を埋設したので、ヘッド３はフェース側中心部が軽く、後部側の重量が重くなり、両延長部５、５の後端部の位置に設けたウエイト６によるやじろべい効果によってビビらず、ショット方向に対する運動の方向性を保持してヘッド３に振れがなく、パット時のヘッド３の直進性を向上させ、直進慣性によって方向性に優れたパッティングが行える。【００２４】  また、ヘッド３を木製とすることにより、フェース面４ａにボールが当たったときに自然な反発力が得られ、真の方向保持が得られることになる。
【図面の簡単な説明】
【００２５】
【図１】パターにおけるヘッドの平面図
【図２】パターにおけるヘッドの正面図
【図３】パターにおけるヘッドの左側面図
【図４】パターにおけるヘッドと表示部材の分解斜視図
【符号の説明】
【００２６】１          パター
２          シャフト
３          ヘッド
４          フェース部
５          延長部
６          ウエイト
７          凹みＲ部
８          底板
８ａ        靴型ケース部
９          溝
１０        取付け孔
１１        表示部材
【図１】
2007209722.tif 000003
【図２】
2007209722.tif 000004
【図３】
2007209722.tif 000005
【図４】
2007209722.tif 000006